(57)【特許請求の範囲】
【請求項１】
可視域の光束及び第１の赤外域の光束を透過性原稿へ発光する第１の光源手段と、前記第１の赤外域を含まない第２の赤外域の光束を前記透過性原稿へ発光する第２の光源手段と、前記透過性原稿を透過した透過光束を読取手段の上に結像させる結像光学系と、前記透過性原稿と前記読取手段の間の光路内に固設され、かつ、前記第１の赤外域の光束を透過させず前記可視域の光束及び前記第２の赤外域の光束を透過させる赤外カット手段と、を有する画像読取装置の画像処理方法であって、
前記第１の光源手段を点灯させかつ前記第２の光源手段を消灯させた状態において、前記透過性原稿を透過し前記赤外カット手段を透過した可視域の透過光束を前記読取手段にて読み取り、前記透過性原稿に記録された画像情報を得る第１の工程と、前記第１の光源手段を消灯させかつ前記第２の光源手段を点灯させた状態において、前記透過性原稿を透過し前記赤外カット手段を透過した前記第２の赤外域の透過光束を前記読取手段にて読み取り、前記透過性原稿に存在する欠陥情報を得る第２の工程と、前記画像情報から前記欠陥情報を取り除く第３の工程と、を有することを特徴とする画像読取装置の画像処理方法。
【請求項２】
少なくとも可視域の光束を有する光束を透過性原稿へ発光する第１の光源手段と、赤外域の光束のみを前記透過性原稿へ発光する第２の光源手段と、前記透過性原稿を透過した透過光束を読取手段の上に結像させる結像光学系と、前記透過性原稿と前記読取手段の間の光路内に挿入され、かつ、前記赤外域の光束を透過させず前記可視域の光束を透過させる赤外カット手段と、を有する画像読取装置の画像処理方法であって、
前記第１の光源手段を点灯させかつ前記第２の光源手段を消灯させかつ前記赤外カット手段を前記透過性原稿と前記読取手段の間の光路内に挿入させた状態において、前記透過性原稿を透過し前記赤外カット手段を透過した可視域の透過光束を前記読取手段にて読み取り、前記透過性原稿に記録された画像情報を得る第１の工程と、前記第１の光源手段を消灯させかつ前記第２の光源手段を点灯させかつ前記赤外カット手段を前記透過性原稿と前記読取手段の間の光路から退避させた状態において、前記透過性原稿を透過した前記赤外域の透過光束を前記読取手段にて読み取り、前記透過性原稿に存在する欠陥情報を得る第２の工程と、前記画像情報から前記欠陥情報を取り除く第３の工程と、を有することを特徴とする画像読取装置の画像処理方法。
【発明の詳細な説明】
【０００１】
【発明の属する技術分野】
本発明は、画像読取装置に関し、特に、透過性原稿記録媒体からの透過光を結像光学系にて固体撮像素子上に結像させ、原稿情報を読み取る画像読取装置に関する。
【０００２】
【従来の技術】
従来、原稿等の画像情報を電気信号に変換してコンピュータに取り込む画像読取装置として、カラーイメージスキャナー、カラー複写機等がある。
【０００３】
図２３は従来の画像読取装置の概略構成を示す図である。この画像読取装置は、不透明の用紙に記載された原稿に光を照射して該用紙から反射する光が処理されるタイプの所謂、反射原稿を読み取る、２対１走査光学系の装置である。２対１走査光学系とは、後述のように走査光学系の一部に、副走査方向に走査速度の２分の１の速度で動作する部分が存在する光学系を指す。
【０００４】
図２３に示すように、原稿台ガラス１００の上に載置された反射原稿１０３を、反射原稿照明用ランプ１０１による直接光束と反射笠１０２による反射光束とにより照明し、反射原稿１０３からの反射光をミラー１０４、ハノ字ミラー１０５、結像レンズ１０６を介してＣＣＤ１０７に送り、多数の単位固体撮像素子がライン状に配置されたＣＣＤ１０７にて電気信号に変換することにより主走査方向の画像を形成する。
【０００５】
また副走査方向の画像形成では、反射原稿１０３に対して反射原稿照明用ランプ１０１、反射笠１０２、ミラー１０４を副走査方向に所定の走査速度で機械的に移動させ、さらにハノ字ミラー１０５を同方向に所定の走査速度２分の１で追従させ、反射原稿１０３からＣＣＤ１０７までの光路長（共役関係）を一定に保つことにより、主走査と合わせてトータルで２次元の画像を形成する。
【０００６】
また特にカラー読み取り方式では、反射原稿照明用ランプ１０１に白色の分光特性を持つランプを用い、且つＣＣＤ１０７に、ＲＧＢそれぞれの色のフィルタを有する３ラインタイプＣＣＤを用いて、１回の走査にてＲＧＢの各色の画像情報を同時に読み、画像処理回路上にて、同一ライン上のＲＧＢの各色の信号を重ね合わせることによってカラー画像を形成する３ラインカラー画像読み取り方式と、Ｒ，Ｇ，Ｂそれぞれの色の分光分布を有する３本のランプと白色全域に感度を有する１ラインＣＣＤとを用いた光源切替カラー画像読み取り方式が一般に知られている。
【０００７】
また、このような画像読取装置に対して簡単な構成を追加することで、ポジ、ネガ等の透過原稿読み取り系も公知である。
【０００８】
図２４は、透過原稿を読み取る従来の画像読取装置における概略構成を示す図である。この画像読取装置も２対１走査光学系の装置である。なお、図２４に示す画像読取装置の構成は、基本的に図２３に示した画像読取装置の構成と同じであるので、同一構成部分には同一の参照符号を付す。
【０００９】
図２４に示したように、原稿台ガラス１００上に載置されたポジ、ネガ等の透過原稿１０８を、さらにその上部に設置された拡散板１０９を介して透過原稿照明用ランプ１１０で照明し、透過原稿１０８からの透過光を、図２３に示した画像読取装置と同じプロセスにより、つまりミラー１０４、ハノ字ミラー１０５、結像レンズ１０６を介してＣＣＤ１０７にて、電気信号に変換することにより主走査方向の画像を形成する。またこの場合の副走査方向の画像形成も、透過原稿１０８に対して透過原稿照明用ランプ１１０、ミラー１０４を同一速度、同一位相を保ったまま、副走査方向に機械的に移動させ、さらに反射原稿の場合と同様、ハノ字ミラー１０５を同方向に走査速度２分の１で追従させ、透過原稿１０８からＣＣＤ１０７までの光路長（共役関係）を一定に保ちながら行い、主走査と合わせてトータルで２次元の画像を形成する。
【００１０】
また、以上説明した２対１走査光学系とは別の方式である一体光学系の画像読取装置も知られている。
【００１１】
図２５は、反射原稿を読み取る従来の一体光学系の画像読取装置における概略構成を示す図である。なお、図２５に示す画像読取装置の構成は、基本的に図２３に示した画像読取装置の構成と同じであるので、同一構成部分には同一の参照符号を付す。
【００１２】
すなわち、光学ユニット１１１の中に反射原稿照明用ランプ１０１、反射笠１０２、ミラー１０４ａ，１０４ｂ，１０４ｃ、結像レンズ１０６、ＣＣＤ１０７が配置され、光学ユニット１１１自身が反射原稿１０３に対して移動する。
【００１３】
図２６は、透過原稿を読み取る従来の一体光学系の画像読取装置における概略構成を示す図である。なお、図２６に示す画像読取装置の構成は、基本的に図２４及び図２５に示した画像読取装置の構成と同じであるので、同一構成部分には同一の参照符号を付す。なお、図２６に示す画像読取装置の動作は、図２５に示した画像読取装置の動作と同じであるので、説明を省略する。
【００１４】
これらの一体光学系の画像読取装置における画像読み取りは、２対１走査光学系の場合と全く同様であるが、例えば、透過原稿読み取りにおいては、図２６のように原稿台ガラス１００上に載置されたポジ、ネガ等の透過原稿１０８を、さらにその上部に設置された拡散板１０９を介して透過原稿照明用ランプ１１０で照明し、透過原稿１０８からの透過光を一体光学系に導くことで主走査方向の像形成を行う。また副走査方向の像形成については、透過原稿１０８に対して透過原稿照明用ランプ１１０、光学ユニット１１１を同一速度、同一位相を保ったまま、副走査方向に機械的に走査させることでトータルで２次元の画像を形成する。
【００１５】
ところで、上記２対１走査光学系や一体光学系の透過原稿用の画像読取装置において、透過原稿上に存在する挨などのゴミや、フィルム面の損傷（キズ）を検知し（以下、この検知を「ゴミキズ検知」という）、読み取られた画像から、これらのゴミキズの影響を画像処理にて取り除く２つの装置が知られている。以下に特にこのゴミキズ検知機能について説明する。
【００１６】
図２７は、従来の第１のゴミキズ検知装置を示す図である。この装置は特に２対１走査光学系の装置であり、基本的に図２４に示した画像処理装置と同一の構成を備えている。同一構成部分には同一の参照符号を付して、その説明を省略する。
【００１７】
第１のゴミキズ検知装置において最も特徴的な構成は、透過原稿照明用ランプ１１０が、図２８に示すように、可視域以外の特定の赤外領域において発光強度１１２を有している。図２８は透過原稿照明用ランプ１１０の分光強度分布特性を示す図であり、縦軸の発光強度は、最大強度を値１に設定してノーマライズされている。
【００１８】
さらに図２７中の結像レンズ１０６とＣＣＤ１０７との間の光路上に赤外カットフィルタ１１３または可視カットフィルタ１１４が挿入される。赤外カットフィルタ１１３は、図２９に破線で示されるような分光透過率の特性を有し、可視カットフィルタ１１４は図２９に一点鎖線で示されるような分光透過率の特性を有する。図２９は、赤外カットフィルタ１１３及び可視カットフィルタ１１４の分光透過率を示すとともに、透過原稿照明用ランプ１１０の相対発光強度（実線表示）を示す図である。
【００１９】
反射原稿及び透過原稿の読み取りモードでは、赤外カットフィルタ１１３が光路内に挿入されて、可視領域の光が透過され、かつ透過原稿照明用ランプ１１０の特定の赤外領域における発光強度１１２がカットされる。またゴミキズ検知モードでは、可視カットフィルタ１１４が赤外カットフィルタ１１３に代わって光路内に挿入されて、発光強度１１２が透過され、かつ可視領域の光がカットされる。
【００２０】
次にゴミキズ検知のプロセスを説明する。
【００２１】
まず原稿及び透過原稿の読み取りモードでは、まず赤外カットフィルタ１１３を光路内に挿入し、透過原稿照明用ランプ１１０を点灯させる。このとき、原稿照明用ランプ１１０が有する特定の赤外領域における発光強度１１２の光は赤外カットフィルタ１１３にてカットされるので、ＣＣＤ１０７からは赤外光の影響の無い良好な画像が読み取られる。
【００２２】
次にゴミキズ検知モードでは、まず可視カットフィルタ１１４を光路内に挿入し、透過原稿照明用ランプ１１０を点灯させる。このとき原稿照明用ランプ１１０が有する可視領域の光は可視カットフィルタ１１４にてカットされるので、透過原稿照明用ランプ１１０が有する特定の赤外領域における発光強度１１２の光のみがＣＣＤ１０７に到達することになる。ここで、ポジ、ネガフィルムなどの透過原稿１０８はその感光像によらず赤外光を透過するので、ゴミ、埃、キズなど、物理的に透過光束をさえぎるもののみの像がＣＣＤ１０７に反転画像として結像する。このゴミキズ検知画像と、前述の読み取りモードにより得られた画像とを画像処理にかけ、読み取りモードにより得られた画像からゴミ、キズによる画像を取り除き、良好な画像を得るようにしている。
【００２３】
図３０は、従来の第２のゴミキズ検知装置を示す図である。この装置も２対１走査光学系の装置であり、基本的に図２４に示した画像処理装置と同一の構成を備えている。同一構成部分には同一の参照符号を付して、その説明を省略する。
【００２４】
第２のゴミキズ検知装置でもっとも特徴的な構成は、透過原稿照明用ランプ１１０に代わって、Ｒ，Ｇ，Ｂの各色を発光するＬＥＤ１１５と、可視域以外の特定の赤外領域において発光強度を有するゴミキズ検知用光源１１７とを近接配置させたことである。ＬＥＤ１１５は、図３１に示すように可視域のみで発光する光源であり、ゴミキズ検知用光源１１７は、図３１に示すように可視域以外の特定の赤外領域１１６において発光強度を有する。図３１は、ＬＥＤ１１５及びゴミキズ検知用光源１１７の各発光強度特性を示す図であり、ＬＥＤ１１５のＲ発光部の特性を破線で、Ｇ発光部の特性を一点鎖線で、Ｂ発光部の特性を実線で、ゴミキズ検知用光源１１７の特性を２点鎖線で示す。
【００２５】
この第２のゴミキズ検知装置におけるゴミキズ検知のプロセスを次に説明する。
【００２６】
原稿及び透過原稿の読み取りモードでは、ＬＥＤ１１５のＲ，Ｇ，Ｂの各色を点灯させ、且つゴミキズ検知用光源１１７を消灯させた状態にて本スキャン画像読み取りを行う。一方、ゴミキズ検知モードでは、ＬＥＤ１１５のＲ，Ｇ，Ｂの各色を消灯させ、且つゴミキズ検知用光源１１７を点灯させて、第１のゴミキズ検知装置と同様にゴミ、埃、キズ等の画像読み取りを行なう。こうして得られた両方の画像を画像処理にかけ、ゴミ、キズによる画像劣化を押さえた良好な画像を得るようにする。
【００２７】
【発明が解決しようとする課題】
しかしながら、上記従来の２つの装置にはそれぞれ下記の問題点がある。
【００２８】
第１のゴミキズ検知装置では、２つのフィルタの挿入排出機構がゴミキズ検知装置を複雑化させる。すなわち、透過原稿照明用ランプ１１０が、画像読み取りモードにて必要となる可視域照明とゴミキズ検知モードにて必要となる赤外域照明とを１本で兼ね備え、ランプ周りの構成が従来装置と同様の構成で済むという利点はあるが、分光透過率特性の異なる２つのフィルタ１１３，１１４を必要とし、さらに両モードにおいて、赤外カットフィルタ１１３と可視カットフィルタ１１４とを光路内に選択的に挿入排出する構成が必要となり、装置構成が複雑化する。
【００２９】
また、第１のゴミキズ検知装置において、可視域と赤外域とに発光強度を有するランプとして蛍光灯やキセノンランプを用いた場合、その赤外域での発光強度は可視域での発光強度と比べて非常に小さく、また蛍光灯やキセノンランプは環境温度変動に対して経時的不安定さを有している。更に蛍光灯やキセノンランプを用いた場合には赤外域での発光強度が弱いにも拘わらず、ゴミキズ検知時にフィルタを用いることにより、赤外強度がさらに低下し、これによって、画像上でＣＣＤ暗時ノイズが無視できなくなり、ゴミキズ画像を取り除く処理の劣化がさけられない。
【００３０】
第２のゴミキズ検知装置では可視光量が不足する。すなわち、第１のゴミキズ検知装置に比べフィルタを必要としないという点では優れているが、可視域のみで発光する光源として使用するＲ，Ｇ，Ｂの各色のＬＥＤは蛍光灯やキセノンランプに比べて光量が非常に少ないため、投影レンズを用いた縮小光学系では画像読み取りスピードが非常に遅くなり実用的でない。
【００３１】
本発明は、このような問題点に鑑みてなされたものであって、フィルタの構成を簡略化し、透過性原稿記録媒体に記録された画像情報を良好に読み取ることが可能な画像読取装置を提供することを目的とする。
【００３２】
【課題を解決するための手段】
上記目的を達成するために、請求項１に記載の発明によれば、可視域の光束及び第１の赤外域の光束を透過性原稿へ発光する第１の光源手段と、前記第１の赤外域を含まない第２の赤外域の光束を前記透過性原稿へ発光する第２の光源手段と、前記透過性原稿を透過した透過光束を読取手段の上に結像させる結像光学系と、前記透過性原稿と前記読取手段の間の光路内に固設され、かつ、前記第１の赤外域の光束を透過させず前記可視域の光束及び前記第２の赤外域の光束を透過させる赤外カット手段と、を有する画像読取装置の画像処理方法であって、
前記第１の光源手段を点灯させかつ前記第２の光源手段を消灯させた状態において、前記透過性原稿を透過し前記赤外カット手段を透過した可視域の透過光束を前記読取手段にて読み取り、前記透過性原稿に記録された画像情報を得る第１の工程と、
前記第１の光源手段を消灯させかつ前記第２の光源手段を点灯させた状態において、前記透過性原稿を透過し前記赤外カット手段を透過した前記第２の赤外域の透過光束を前記読取手段にて読み取り、前記透過性原稿に存在する欠陥情報を得る第２の工程と、
前記画像情報から前記欠陥情報を取り除く第３の工程と、を有することを特徴とする。
【００３３】
上記目的を達成するために、請求項２に記載の発明によれば、少なくとも可視域の光束を有する光束を透過性原稿へ発光する第１の光源手段と、赤外域の光束のみを前記透過性原稿へ発光する第２の光源手段と、前記透過性原稿を透過した透過光束を読取手段の上に結像させる結像光学系と、前記透過性原稿と前記読取手段の間の光路内に挿入され、かつ、前記赤外域の光束を透過させず前記可視域の光束を透過させる赤外カット手段と、を有する画像読取装置の画像処理方法であって、
前記第１の光源手段を点灯させかつ前記第２の光源手段を消灯させかつ前記赤外カット手段を前記透過性原稿と前記読取手段の間の光路内に挿入させた状態において、前記透過性原稿を透過し前記赤外カット手段を透過した可視域の透過光束を前記読取手段にて読み取り、前記透過性原稿に記録された画像情報を得る第１の工程と、前記第１の光源手段を消灯させかつ前記第２の光源手段を点灯させかつ前記赤外カット手段を前記透過性原稿と前記読取手段の間の光路から退避させた状態において、前記透過性原稿を透過した前記赤外域の透過光束を前記読取手段にて読み取り、前記透過性原稿に存在する欠陥情報を得る第２の工程と、前記画像情報から前記欠陥情報を取り除く第３の工程と、を有することを特徴とする。
【００３４】
【発明の実施の形態】
以下、本発明の実施の形態を、図面を参照して説明する。
【００３５】
（第１の実施の形態）
図１は、本発明の第１の実施形態に係る画像読取装置の構成を示す図である。この画像読取装置は反射原稿及び透過原稿を読み取れる２対１走査光学系の装置である。
【００３６】
同図において１は透過原稿、２は原稿台ガラス、３は拡散板、４は反射原稿照明用ランプ、５は可視域から赤外域に亘って発光強度を有する蛍光灯からなる透過原稿照明用ランプ、６は赤外域のみに発光強度を有するＬＥＤからなるゴミキズ検知用ランプ、７は反射笠、８はミラー、９はハノ字ミラー、１０は結像レンズ、１１はＣＣＤ、１２は赤外カットフィルタ（ダイクロイックフィルタ）、１３は赤外カットフィルタ駆動装置である。赤外カットフィルタ駆動装置１３は、赤外カットフィルタ１２を光路内に挿入または排出を行う。
【００３７】
図２は、反射原稿照明用ランプ４、透過原稿照明用ランプ５及びゴミキズ検知用ランプ６の分光強度分布を示す図であり、各ランプの特性を破線、実線、一点鎖線によってそれぞれ示す。
【００３８】
図３は赤外カットフィルタ１２の分光透過率を示す図である。
【００３９】
次に透過原稿の読取動作を説明する。
【００４０】
透過原稿読取モードにおいては、先ず図１の反射原稿照明用ランプ４及びゴミキズ検知用ランプ６を消灯し、透過原稿照明用ランプ５を点灯させ、更に赤外カットフィルタ１２を赤外カットフィルタ駆動装置１３により光路内に挿入させる。このとき透過原稿照明用ランプ５の照明光束は拡散板３によって斑なく拡散され、その拡散光束が透過原稿１を透過する。この透過光束がミラー８、ハノ字ミラー９、結像レンズ１０、赤外カットフィルタ１２を通過しＣＣＤ１１に投影される。
【００４１】
図２に示すように、透過原稿照明用ランプ５は可視のみならず赤外成分を含んでいるが、この赤外成分は、光路内に挿入された図３のような分光透過率特性を有する赤外カットフィルタ１２によって除去され、ＣＣＤ１１に到達する光は可視波長帯の成分のみになる。この結果、光源が赤外域と可視域とを含むことに起因する色収差によるコントラストの低下が無く、色再現性が良好な画像読取を実現できる。
【００４２】
次にゴミキズ検知モードについて説明する。
【００４３】
先ず図１の反射原稿照明用ランプ４と透過原稿照明用ランプ５とを消灯し、ゴミキズ検知用ランプ６を点灯させ、更に赤外カットフィルタ１２を赤外カットフィルタ駆動装置１３により光路外に退避させた状態にする。このときゴミキズ検知用ランプ６の照明光束は拡散板３によって斑なく拡散され、その拡散光束が透過原稿１を透過する。この透過光束がミラー８、ハノ字ミラー９、結像レンズ１０を通過し、ＣＣＤ１１に投影される。
【００４４】
図２に示すように、ゴミキズ検知用ランプ６の光は赤外成分のみであるので、ネガ、ポジ等の透過原稿１はその画像（感光像）によらずこの赤外成分を透過させ、物理的に光路を遮る埃、ゴミ、キズ等の像がＣＣＤ１１上に蔭として投影され、良好にゴミキズ検知が行われる。
【００４５】
こうして得られたゴミキズ検知画像と前述の透過原稿読取画像との両者を画像処理にかけることによって、ゴミやキズの影響を除去された良好な透過原稿画像が獲得可能となる。
【００４６】
なお反射原稿読み取りの場合は、透過原稿照明用ランプ５とゴミキズ検知用ランプ６とを消灯させ、且つ赤外カットフィルタ１２を光路内へ挿入した状態で、反射原稿照明用ランプ４を点灯させて、透過原稿の場合と同様に読み取りを行えば、赤外成分の影響が除去された良好な画像読み取りが可能となる。また、透過原稿照明用ランプに、蛍光灯のように可視波長帯における発光強度が大きいランプを使用することによって、透過性原稿記録媒体に記録された画像情報を読み取る場合の光量不足を回避でき、高速読み取りが可能になる。
【００４７】
（第２の実施の形態）
図４は、本発明の第２の実施形態に係る画像読取装置の構成を示す図である。第２の実施形態の構成は、基本的に第１の実施形態の構成と同じであるので、同一構成部分には同一の参照符号を付し、その説明を省略する。
【００４８】
第２の実施形態では、透過原稿照明用ランプ５ａが、可視域から赤外域に亘って発光強度を有するハロゲンランプから構成される。また、赤外カットフィルタ１２aは光軸方向の厚さがｄに設定される。
【００４９】
図５は、反射原稿照明用ランプ４、透過原稿照明用ランプ５ａ及びゴミキズ検知用ランプ６の分光強度分布を示す図であり、各ランプの特性を破線、実線、一点鎖線によってそれぞれ示す。
【００５０】
なお、赤外カットフィルタ１２ａの分光透過率の特性は、図３に示す第１の実施形態における赤外カットフィルタ１２の分光透過率の特性と同じである。
【００５１】
次に透過原稿の読取動作を説明する。
【００５２】
透過原稿読取モードにおいては、先ず図４の反射原稿照明用ランプ４及びゴミキズ検知用ランプ６を消灯し、透過原稿照明用ランプ５ａを点灯させ、更に赤外カットフィルタ１２ａを赤外カットフィルタ駆動装置１３により光路内に挿入させる。このとき透過原稿照明用ランプ５ａの照明光束は拡散板３によって斑なく拡散され、その拡散光束が透過原稿１を透過する。この透過光束がミラー８、ハノ字ミラー９、結像レンズ１０、赤外カットフィルタ１２を通過しＣＣＤ１１に投影される。
【００５３】
図５に示すように透過原稿照明用ランプ５ａは可視のみならず赤外成分を含んでいるが、この赤外成分は、光路内に挿入された図３に示すような分光透過率特性を有する赤外カットフィルタ１２ａによって除去され、ＣＣＤ１１に到達する光は可視波長帯の成分のみになる。この結果、光源が赤外域と可視域とを含むことに起因する色収差によるコントラストの低下が無く、色再現性が良好な画像読取を実現できる。
【００５４】
次にゴミキズ検知モードについて説明する。
【００５５】
先ず図４の反射原稿照明用ランプ４と透過原稿照明用ランプ５ａとを消灯し、ゴミキズ検知用ランプ６を点灯させ、更に赤外カットフィルタ１２ａを赤外カットフィルタ駆動装置１３により光路外に退避させた状態にしておく。このときゴミキズ検知用ランプ６の照明光束は拡散板３によって斑なく拡散され、その拡散光束が透過原稿１を透過する。この透過光束がミラー８、ハノ字ミラー９、結像レンズ１０を通過し、ＣＣＤ１１に投影される。ここでゴミキズ検知用ランプ６の光は、図５に示すように赤外成分のみであるので、ネガ、ポジ等の透過原稿１をその画像（感光像）によらず透過し、物理的に光路を遮る埃、ゴミ、キズ等の像がＣＣＤ１１上に蔭として投影され、良好にゴミキズ検知が行われる。
【００５６】
このように得られたゴミキズ検知画像と前述の透過原稿読取画像との両者を画像処理にかけることによって、ゴミやキズの影響が除去された良好な画像が得られる。
【００５７】
また本実施形態では特に赤外カットフィルタ１２ａの厚さｄを下記のように設定することで、赤外画像（ゴミキズ検知画像）読み取りと可視画像（透過原稿画像）読み取りとで発生する結像光学系に起因したピントずれを良好に補正することができる。なお、赤外カットフィルタ１２ａは基板ガラスに赤外カット素材が蒸着されることによって作成されたものであり、上記厚さｄは基板ガラスの厚さである。
【００５８】
すなわち、通常、ＣＣＤの光軸方向の配置位置は、反射原稿または透過原稿に対する読取画像において良好なコントラストを確保するべく、Ｒ，Ｇ，Ｂ各色のＭＴＦ（Modulation Transfer Function）が平均して高い値になるような位置に決定される。但し、一般的なレンズの性能上、赤外光は可視光に対して相当量、オーバー側に軸上色収差が発生する為、赤外読取画像は上述のように決定されるＣＣＤの配置位置ではコントラストが低下してしまう。
【００５９】
そこで本実施形態においては、可視光でのＣＣＤ１１のピント位置（Ｒ，Ｇ，Ｂ各色のＭＴＦが平均して高い値となるＣＣＤの光軸方向の配置位置）と、ゴミキズ検知用光源６の赤外域でのピ一ク波長におけるＣＣＤ１１のピント位置との差をＬとし、さらに赤外カットフィルタ１２ａの（たとえばｅ線の）屈折率をｎとした時に、下記式を満足するようにして赤外カットフィルタ１２ａの光軸方向の厚さｄを設定する。
【００６０】
Ｌ＝（１−１／ｎ）ｄ
【００６１】
すなわち、反射原稿読取及び透過原稿読取でのＣＣＤ１１のピント位置（可視光のＣＣＤピント位置）を、光軸方向においてオーバー側に、具体的には赤外カットフィルタ１２ａを光路外へ排出して行われるゴミキズ検知読取でのＣＣＤピント位置（赤外光のＣＣＤピント位置）と同一位置になるよう補正する。
【００６２】
これにより、透過（反射）原稿読取とゴミキズ検知との両者のモードにおいて、ＣＣＤ１１の光軸方向の位置を変えずとも、良好なコントラスト（ピント）を得ることができる。
【００６３】
なお、画像読取装置の光軸上において、結像レンズ１０からＣＣＤ１１側が画像縮小側であり、こうした画像縮小側の光軸上に赤外カットフィルタ１２ａを配置して可視域と赤外域とでの軸上色収差（ピント）を補正すれば、結像レンズ１０から光源側の画像拡大側に赤外カットフィルタ１２ａを配置する場合よりも、赤外カットフィルタ１２ａの厚さｄを薄くすることができ、大幅なコストダウン効果が得られる。
【００６４】
（第３の実施の形態）
図６は、本発明の第３の実施形態に係る画像読取装置の構成を示す図である。第３の実施形態に係る画像読取装置は、結像関係が略等倍系であるフィルムスキャナーである。第３の実施形態の構成は、基本的に第２の実施形態の構成と同じであるので、同一構成部分には同一の参照符号を付す。
【００６５】
図６において１は透過原稿、３は拡散板、５は可視域から赤外域に亘って発光強度を有する蛍光灯からなる透過原稿照明用ランプ、６は赤外域のみに発光強度を有するＬＥＤからなるゴミキズ検知用ランプ、８はミラー、１０は結像レンズ、１１はＣＣＤ、１２ａは光軸方向の厚さｄの赤外カットフィルタ、１３は赤外カットフィルタ駆動装置である。
【００６６】
図７は、透過原稿照明用ランプ５及びゴミキズ検知用ランプ６の分光強度分布を示す図であり、各ランプの特性を破線、実線によってそれぞれ示す。
【００６７】
なお、赤外カットフィルタ１２ａの分光透過率の特性は、図３に示す第１の実施形態における赤外カットフィルタ１２の分光透過率の特性と同じである。
【００６８】
本実施形態においても、第１の実施形態及び第２の実施形態と同様のプロセスにより透過原稿読み取りとゴミキズ検知とが行われ、それらの基いて良好な読取画像が得られる。
【００６９】
（第４の実施の形態）
前記第１〜第３の実施形態で説明した赤外カットフィルタとしては、透明部材の表面に誘電体物質を複数層蒸着してなる光干渉フィルタと、特定波長を吸収する物質を用いた光吸収フィルタ、の２種が広く知られている。
【００７０】
前記実施形態の画像読取装置で用いる赤外カットフィルタは、ピント補正手段の機能を併せ持つために極めて薄くなければならない。結像レンズ固有の色収差量に依るが、一般に８５０〜９００ｎｍの赤外光と可視光のピント補正を行うためには０．５〜１．２ｍｍ程度の厚さになる。
【００７１】
このような薄い平板で光干渉フィルタを作成すると、蒸着層の層数や厚みに応じて平板に「反り」が発生し表面精度が悪化し、可視画像の読取精度も悪化する場合もある。反りを補正するためにあらかじめ逆方向に反ったガラスで光干渉フィルタ作成することも出来るが、ガラスをあらかじめ研磨する必要があり大きなコストアップを招く。
【００７２】
また、光吸収フィルタは平板ガラスの表面に所定の光吸収特性を有する染料や顔料などの光吸収物質を塗布することによって作成できる。またガラス材料に光吸収物質を混合し平板状に固化することでも作成できる。
【００７３】
しかし、いずれの方法でも広い面積全体を一定の透過率特性に維持することは難しい。また、光吸収物質は高価であるため、面積の広い上記赤外カットフィルタを作成すると高コストを免れない。よって、表面精度が良い赤外カットフィルタを低コストで作成することが困難であるために、画像読取装置も高コストとなってしまう。
【００７４】
以下に説明する実施形態は、ゴミキズ検知画像を良好に読み取ることができる、より低コストな画像読取装置を提供可能とするものである。
【００７５】
図８は、本発明の第４の実施形態に係る画像読取装置の構成を示す図である。第４の実施形態の構成は、基本的に第１の実施形態の構成と同じであるので、同一構成部分には同一の参照符号を付す。
【００７６】
図８において１は透過原稿、２は原稿台ガラス、３は拡散板、４は反射原稿照明用ランプ、５は可視域から赤外域に亘って発光強度を有する蛍光灯からなる透過原稿照明用ランプ、６ａは波長８８０ｎｍに発光強度のピークを有するＬＥＤから成るゴミキズ検知用ランプ、７は反射笠、８はミラー、９はハノ字ミラー、１０は結像レンズ、１１はＣＣＤ、１２ｂは結像レンズ１０の所定面上に蒸着された赤外カットフィルタである。
【００７７】
図９は、反射原稿照明用ランプ４、透過原稿照明用ランプ５及びゴミキズ検知用ランプ６ａの分光強度分布を示す図であり、各ランプの特性を破線、実線、一点鎖線によってそれぞれ示す。
【００７８】
図１０は赤外カットフィルタ１２ｂの分光透過率を示す図である。
【００７９】
次に透過原稿読取動作を説明する。
【００８０】
透過原稿読取モードにおいては、先ず図８の反射原稿照明用ランプ４及びゴミキズ検知用ランプ６ａを消灯し、透過原稿照明用ランプ５を点灯させる。このとき透過原稿照明用ランプ５の照明光束は拡散板３によって斑なく拡散され、その拡散光束が透過原稿１を透過する。この透過光束がミラー８、ハノ字ミラー９を通過し、さらに結像レンズ１０、赤外カットフィルタ１２を通過し、ＣＣＤ１１に投影される。
【００８１】
透過原稿照明用ランプ５が出す光は、図９に示すように、可視域のみならず赤外域成分（７００ｎｍ〜７６０ｎｍ及び１０２０ｎｍ〜１０４０ｎｍ）を含んでいるが、この赤外域成分は、結像レンズ１０の所定面上に蒸着された図１０に示すような分光透過率特性を有する赤外カットフィルタ１２ｂによって除去され、ＣＣＤ１１に到達する光は可視波長帯の成分のみになる。この結果、光源が赤外域と可視域とを含むことに起因する色収差によるコントラストの低下が無く、色再現性が良好な画像読取を実現できる。
【００８２】
次にゴミキズ検知モードについて説明する。
【００８３】
先ず図８の反射原稿照明用ランプ４と透過原稿照明用ランプ５とを消灯し、ゴミキズ検知用ランプ６ａを点灯させる。図９に示すような特性を備えたゴミキズ検知用ランプ６ａの照明光束は拡散板３によって斑なく拡散され、その拡散光束が透過原稿１を透過する。ここで赤外カットフィルタ１２ｂは図１０に示すように、特に波長８８０ｎｍ付近において大きな透過率を有しているので、ミラー８、ハノ字ミラー９、結像レンズ１０を通過した光は、結像レンズ１０上に蒸着された赤外カットフィルタ１２ｂで遮られること無く、ＣＣＤ１１に投影される。
【００８４】
ゴミキズ検知用ランプ６ａの照明光束は、ネガ、ポジ等の透過原稿１の画像（感光像〉によらず透過し、物理的に光路を遮る埃、ゴミ、キズ等の像がＣＣＤ１１上に蔭として投影される。その結果、良好にゴミキズ検知が行われる。
【００８５】
このゴミキズ検知画像と前述の透過原稿読取画像とを基に、透過原稿読取画像からゴミキズ検知画像を取り除く画像処理を行い、良好な透過原稿画像を得ることができる。
【００８６】
なお反射原稿読取の場合は、透過原稿照明用ランプ５とゴミキズ検知用ランプ６ａを消灯し、反射原稿照明用ランプ４を点灯させて反射原稿読取画像を読み取れば、透過原稿の場合と同様、赤外成分の影響が除去された良好な反射原稿画像を得ることができる。
【００８７】
なおまた、透過原稿照明用ランプ５に使用される蛍光灯の発光波長分布は、図９に示すように７６０ｎｍ付近から１０００ｎｍ付近までの範囲において発光強度が略０であるため、ゴミキズ検知用ランプ６ａに使用されるＬＥＤの光のピーク波長は、この範囲の中央に設定することが望ましい。
【００８８】
（第５の実施の形態）
図１１は、本発明の第５の実施形態に係る画像読取装置の構成を示す図である。第５の実施形態の構成は、基本的に第４の実施形態の構成と同じであるので、同一構成部分には同一の参照符号を付し、その説明を省略する。
【００８９】
第５の実施形態では、反射原稿照明用ランプ４ａが、図１２に破線で示す分光強度分布を有し、透過原稿照明用ランプ５ｂが、可視域から赤外域に亘って発光強度を有する蛍光灯から構成され、図１２に実線で示す分光強度分布を備える。
【００９０】
また、１２ｃはミラー８の所定面上に蒸着された赤外カットフィルタである。
【００９１】
図１２は、反射原稿照明用ランプ４ａ、透過原稿照明用ランプ５ｂ及びゴミキズ検知用ランプ６ａの分光強度分布を示す図であり、各ランプの特性を破線、実線、一点鎖線によってそれぞれ示す。
【００９２】
図１３は、赤外カットフィルタ１２ｃの分光透過率を示す図である。
【００９３】
次に透過原稿読取動作を説明する。
【００９４】
透過原稿読取モードにおいては、先ず図１１の反射原稿照明用ランプ４ａ及びゴミキズ検知用ランプ６ａを消灯し、透過原稿照明用ランプ５ｂを点灯させる。このとき透過原稿照明用ランプ５ｂの照明光束は拡散板３によって斑なく拡散され、その拡散光束が透過原稿１を透過する。この透過光束が、赤外カットフィルタ１２ｃが蒸着されたミラー８、ハノ字ミラー９、結像レンズ１０を通過し、ＣＣＤ１１に投影される。ここで、透過原稿照明用ランプ５の光は、図１２に示すように、可視域のみならず赤外域成分（８３０ｎｍ〜１０４０ｎｍ）を含んでいるが、この赤外域成分は、ミラー８の所定面上に蒸着された図１３に示すような分光透過率特性を有する赤外カットフィルタ１２ｃによって除去され、ＣＣＤ１１に到達する光は可視波長帯の成分のみになる。
【００９５】
この結果、光源が赤外域と可視域とを含むことに起因する色収差によるコントラストの低下が無く、色再現性が良好な画像読取を実現できる。
【００９６】
次にゴミキズ検知モードについて説明する。
【００９７】
先ず図１１の反射原稿照明用ランプ４ａと透過原稿照明用ランプ５ｂとを消灯し、ゴミキズ検知用ランプ６ａを点灯させる。図１２に示すような特性を備えたゴミキズ検知用ランプ６ａの照明光束は拡散板３によって斑なく拡散され、その拡散光束が透過原稿１を透過する。ここで赤外カットフィルタ１２ｃは、図１３に示すように、８２０ｎｍまでは大きな透過率を有しているので、この透過原稿１を透過した光は、ミラー８に蒸着された赤外カットフィルタ１２ｃで遮られること無く、ミラー８、ハノ字ミラー９、結像レンズ１０を通過して、ＣＣＤ１１に投影される。
【００９８】
ゴミキズ検知用ランプ６ａの照明光束は、ネガ、ポジ等の透過原稿１の画像（感光像〉によらず透過し、物理的に光路を遮る埃、ゴミ、キズ等の像がＣＣＤ１１上に蔭として投影される。その結果、良好にゴミキズ検知が行われる。
【００９９】
このゴミキズ検知画像と前述の透過原稿読取画像とを基に、透過原稿読取画像からゴミキズ検知画像を取り除く画像処理を行い、良好な透過原稿画像を得ることができる。
【０１００】
なお反射原稿読取の場合は、透過原稿照明用ランプ５ｂとゴミキズ検知用ランプ６ａを消灯し、反射原稿照明用ランプ４ａを点灯させて反射原稿読取画像を読み取れば、透過原稿の場合と同様、赤外成分の影響が除去された良好な反射原稿画像を得ることができる。
【０１０１】
（第６の実施の形態）
図１４は、本発明の第６の実施形態に係る画像読取装置の構成を示す図である。第６の実施形態に係る画像読取装置は、結像関係が略等倍系であるフィルムスキャナーである。第６の実施形態の構成は、基本的に第４の実施形態の構成と同じであるので、同一構成部分には同一の参照符号を付す。
【０１０２】
図１４において１は透過原稿、３は拡散板、５は可視域から赤外域に亘って発光強度を有する蛍光灯からなる透過原稿照明用ランプ、６ａは波長８８０ｎｍに発光強度のピークを有するＬＥＤからなるゴミキズ検知用ランプ、８はミラー、１０は結像レンズ、１１はＣＣＤ、１２ｂは結像レンズ１０の所定面上に蒸着された赤外カットフィルタである。
【０１０３】
図１５は、透過原稿照明用ランプ５及びゴミキズ検知用ランプ６ａの分光強度分布を示す図であり、各ランプの特性を破線、実線によってそれぞれ示す。
【０１０４】
なお、赤外カットフィルタ１２ｂの分光透過率の特性は、図１０に示す通りである。
【０１０５】
本実施形態においても、第４の実施形態と同様のプロセスにより透過原稿読み取りとゴミキズ検知とが行われ、それらの基いて良好な読取画像が得られる。
【０１０６】
（第７の実施の形態）
図１６は、本発明の第７の実施形態に係る画像読取装置の構成を示す図である。この画像読取装置は反射原稿及び透過原稿を読み取れる２対１走査光学系の装置である。
【０１０７】
同図において１は透過原稿、２は原稿台ガラス、３は拡散板、４は反射原稿照明用ランプ、５は可視域から赤外域に亘って発光強度を有する蛍光灯からなる透過原稿照明用ランプ、６は赤外域のみに発光強度を有するＬＥＤからなるゴミキズ検知用ランプ、７は反射笠、８はミラー、９はハノ字ミラー、１０は結像レンズ、１１は赤外カット手段をあわせ持つＣＣＤ、１２０はピント補正手段である平行平板ガラス、１３０はピント補正手段駆動装置である。ピント補正手段駆動装置１３０は、平行平板ガラス１２０を光路内に挿入または排出を行う。
【０１０８】
図１７は、反射原稿照明用ランプ４、透過原稿照明用ランプ５及びゴミキズ検知ランプ６の分光強度分布を示す図であり、各ランプの特性を破線、実線、一点鎖線によってそれぞれ示す。
【０１０９】
図１８はＣＣＤ１１上に付加された赤外カット手段の透過率特性を示す図である。
【０１１０】
この特性は、読取画素上に所定の光吸収特性を有する染料や顔料などの光吸収物質を塗布することで実現できる。従来例の赤外カットフィルタに比べ塗布すべき面積が極めて小さいので低コストで実現できる。
【０１１１】
また、ＲＧＢそれぞれの色のフィルタを有する３ラインタイプＣＣＤを用いる場合などには、前記各フィルタの透過率特性が図１８で示された透過率特性を含むよう光吸収物質を調合することで、より簡単な構成で実現できる。
【０１１２】
次に透過原稿の読取動作を説明する。
【０１１３】
透過原稿読取モードにおいては、先ず図１６の反射原稿照明用ランプ４及びゴミキズ検知用ランプ６を消灯し、透過原稿照明用ランプ５を点灯させ、更に平行平板ガラス１２０をピント補正手段駆動装置１３０により光路内に挿入させる。このとき透過原稿照明用ランプ５の照明光束は拡散板３によって斑なく拡散され、その拡散光束が透過原稿１を透過する。この透過光束がミラー８、ハノ字ミラー９、結像レンズ１０、平行平板ガラス１２０を通過しＣＣＤ１１に投影される。
【０１１４】
図１７に示すように、透過原稿照明用ランプ５は可視のみならず赤外成分を含んでいるが、この赤外成分は、ＣＣＤ１１に付加された図３のような分光透過率特性を有する赤外カット手段によって除去され、ＣＣＤ１１から出力される画像信号は可視波長帯の成分のみになる。この結果、光源が赤外域と可視域とを含むことに起因する色収差によるコントラストの低下が無く、色再現性が良好な画像読取を実現できる。
【０１１５】
次にゴミキズ検知モードについて説明する。
【０１１６】
先ず図１６の反射原稿照明用ランプ４と透過原稿照明用ランプ５とを消灯し、ゴミキズ検知用ランプ６を点灯させ、更に平行平板ガラス１２０をピント補正手段駆動装置１３０により光路外に退避させた状態にする。このときゴミキズ検知用ランプ６の照明光束は拡散板３によって斑なく拡散され、その拡散光束が透過原稿１を透過する。この透過光束がミラー８、ハノ字ミラー９、結像レンズ１０を通過し、ＣＣＤ１１に投影される。
【０１１７】
図１７に示すように、ゴミキズ検知用ランプ６の光は８８０ｎｍ付近の赤外成分のみであるので、ネガ、ポジ等の透過原稿１はその画像（感光像）によらずこの赤外成分を透過させ、物理的に光路を遮る埃、ゴミ、キズ等の像がＣＣＤ１１上に蔭として投影さる。ＣＣＤ１１に付加された赤外カット手段は図３に示すとおり８８０ｎｍ付近の光を透過することができるので、ＣＣＤ１１からは埃、ゴミ、キズ等の情報が出力され、良好にゴミキズ検知が行われる。
【０１１８】
こうして得られたゴミキズ検知画像と前述の透過原稿読取画像との両者を画像処理にかけることによって、ゴミやキズの影響を除去された良好な透過原稿画像が獲得可能となる。
【０１１９】
なお、反射原稿読み取りの場合は、透過原稿照明用ランプ５とゴミキズ検知用ランプ６とを消灯させ、反射原稿照明用ランプ４を点灯させて、透過原稿の場合と同様に読み取りを行えば、赤外成分の影響が除去された良好な画像読み取りが可能となる。
【０１２０】
また、ピント補正板１２０の厚さｄを下記のように設定することで、赤外画像（ゴミキズ検知画像）読み取りと可視画像（透過原稿画像）読み取りとで発生する結像光学系に起因したピントずれを良好に補正することができる。
【０１２１】
すなわち、通常、ＣＣＤの光軸方向の配置位置は、反射原稿または透過原稿に対する読取画像において良好なコントラストを確保するべく、Ｒ，Ｇ，Ｂ各色のＭＴＦ（Modulation Transfer Function）が平均して高い値になるような位置に決定される。但し、一般的なレンズの性能上、赤外光は可視光に対して相当量、オーバー側に軸上色収差が発生する為、赤外読取画像は上述のように決定されるＣＣＤの配置位置ではコントラストが低下してしまう。
【０１２２】
そこで本実施形態においては、可視光でのＣＣＤ１１のピント位置（Ｒ，Ｇ，Ｂ各色のＭＴＦが平均して高い値となるＣＣＤの光軸方向の配置位置）と、ゴミキズ検知用光源６の赤外域でのピ一ク波長におけるＣＣＤ１１のピント位置との差をＬとし、さらに赤外カットフィルタ１２ａの（たとえばｅ線の）屈折率をｎとした時に、下記式を満足するようにして赤外カットフィルタ１２ａの光軸方向の厚さｄを設定する。
【０１２３】
Ｌ＝（１−１／ｎ）ｄ
【０１２４】
すなわち、反射原稿読取及び透過原稿読取でのＣＣＤ１１のピント位置（可視光のＣＣＤピント位置）を、光軸方向においてオーバー側に、具体的にはピント補正板１２０を光路外へ排出して行われるゴミキズ検知読取でのＣＣＤピント位置（赤外光のＣＣＤピント位置）と同一位置になるよう補正する。
【０１２５】
これにより、透過（反射）原稿読取とゴミキズ検知との両者のモードにおいて、ＣＣＤ１１の光軸方向の位置を変えずとも、良好なコントラスト（ピント）を得ることができる。
【０１２６】
なお、画像読取装置の光軸上において、結像レンズ１０からＣＣＤ１１側が画像縮小側であり、こうした画像縮小側の光軸上に赤外カットフィルタ１２ａを配置して可視域と赤外域とでの軸上色収差（ピント）を補正すれば、結像レンズ１０から光源側の画像拡大側に赤外カットフィルタ１２ａを配置する場合よりも、ピント補正板１２０の厚さｄを薄くすることができ、大幅なコストダウン効果が得られる。
【０１２７】
（第８の実施の形態）
図１９は、本発明の第８の実施形態に係る画像読取装置の構成を示す図である。
【０１２８】
第８の実施形態の構成は、基本的に第７の実施形態の構成と同じであるので、同一構成部分には同一の参照符号を付し、その説明を省略する。第８の実施形態では、特に赤外カット手段は結像レンズ１０ａ内の所定面に設けられていることが特徴である。
【０１２９】
なお、赤外カット手段の分光透過率特性は、図１８に示す第７の実施形態における赤外カット手段の分光透過率の特性と同じである。
【０１３０】
透過原稿の読取動作やゴミキズ検知モードについては前記第７の実施形態と同じなので説明を省略する。
【０１３１】
透過原稿照明用ランプ５の赤外成分は、レンズ１０ａに付加された赤外カット手段によって除去され、ＣＣＤ１１ａに到達する光は可視波長帯の成分のみになる。この結果、光源が赤外域と可視域とを含むことに起因する色収差によるコントラストの低下が無く、前記第７の実施形態と同様に、色再現性が良好な画像読取を実現できる。
【０１３２】
また、本実施形態では赤外カット手段はレンズ１０ａ内の所定面に設けられているが、レンズは一般に１．５〜１０ｍｍ程度の厚みを有しているので適当な厚さのレンズを選べば、光干渉フィルタの作成と同じ手法で赤外カット手段を付加しても「反り」が少なく表面精度を高く維持できる。そのため、画像読取精度も良好である。また、絞り近傍のレンズ面を選べば蒸着すべき面積が小さくなり、さらに低コスト化できる。
【０１３３】
ピント補正板の厚さｄも前記第１の実施例と同じく設定することで、赤外画像（ゴミキズ検知画像）読み取りと可視画像（透過原稿画像）読み取りとで発生する結像光学系に起因したピントずれを良好に補正することができる。
【０１３４】
（第９の実施の形態）
図２０は、本発明の第９の実施形態に係る画像読取装置の構成を示す図である。
【０１３５】
第９の実施形態の構成は、基本的に第７の実施形態の構成と同じであるので、同一構成部分には同一の参照符号を付し、その説明を省略する。第９の実施形態では、特に赤外カット手段はミラー８ａの反射面に設けられていることが特徴である。
【０１３６】
なお、赤外カット手段の分光透過率特性は、図１８に示す第７の実施形態における赤外カット手段の分光透過率の特性と同じである。透過原稿の読取動作やゴミキズ検知モードについては前記第７の実施形態と同じなので説明を省略する。
【０１３７】
透過原稿照明用ランプ５の赤外成分は、ミラー８ａに付加された赤外カット手段によって除去され、ＣＣＤ１１ａに到達する光は可視波長帯の成分のみになる。この結果、光源が赤外域と可視域とを含むことに起因する色収差によるコントラストの低下が無く、前記実施例１と同様に、色再現性が良好な画像読取を実現できる。
【０１３８】
また、本実施形態では赤外カット手段はミラー８ａの反射面に設けられている。ミラーは一般に３〜５ｍｍ程度の厚みを有しているので、光干渉フィルタで赤外カット手段を付加しても「反り」が少なく表面精度を高く維持できる。そのため、画像読取精度も良好である。
【０１３９】
ピント補正板の厚さｄも前記第７の実施形態と同じく設定することで、赤外画像（ゴミキズ検知画像）読み取りと可視画像（透過原稿画像）読み取りとで発生する結像光学系に起因したピントずれを良好に補正することができる。
【０１４０】
（第１０の実施の形態）
図２１は、本発明の第１０の実施形態に係る画像読取装置の構成を示す図である。
【０１４１】
第１０の実施形態の構成は、基本的に第７の実施形態の構成と同じであるので、同一構成部分には同一の参照符号を付し、その説明を省略する。第１０の実施形態では、特にピント補正手段駆動装置１３０ａがＣＣＤ１１を光軸方向に所定量だけ前後移動させる機能を有すことが特徴である。
【０１４２】
次に透過原稿の読取動作を説明する。
【０１４３】
透過原稿読取モードにおいては、先ず図２１の反射原稿照明用ランプ４及びゴミキズ検知用ランプ６を消灯し、透過原稿照明用ランプ５を点灯させ、更にピント補正手段駆動装置１３０ａがＣＣＤ１１を可視画像の良好なコントラスト（ピント）が得られる位置に移動させる。このとき透過原稿照明用ランプ５の照明光束は拡散板３によって斑なく拡散され、その拡散光束が透過原稿１を透過する。この透過光束がミラー８、ハノ字ミラー９、結像レンズ１０を通過しＣＣＤ１１に投影される。
【０１４４】
透過原稿照明用ランプ５の赤外成分は、ＣＣＤ１１に付加された赤外カット手段によって除去され、ＣＣＤ１１から出力される画像信号は可視波長帯の成分のみになる。この結果、光源が赤外域と可視域とを含むことに起因する色収差によるコントラストの低下が無く、前記実施例１と同様に、色再現性が良好な画像読取を実現できる。
【０１４５】
次にゴミキズ検知モードについて説明する。
【０１４６】
先ず図１の反射原稿照明用ランプ４と透過原稿照明用ランプ５とを消灯し、ゴミキズ検知用ランプ６を点灯させ、更にピント補正手段駆動装置１３ａがＣＣＤ１１を赤外画像の良好なコントラスト（ピント）が得られる位置に移動させる。このときゴミキズ検知用ランプ６の照明光束は拡散板３によって斑なく拡散され、その拡散光束が透過原稿１を透過する。この透過光束がミラー８、ハノ字ミラー９、結像レンズ１０を通過し、ＣＣＤ１１に投影される。
【０１４７】
（第１１の実施の形態）
図２２は、本発明の第１１の実施形態に係る画像読取装置の構成を示す図である。
【０１４８】
第１１の実施形態の構成は、基本的に第４の実施形態の構成と同じであるので、同一構成部分には同一の参照符号を付し、その説明を省略する。第１１の実施形態では、特にピント補正手段駆動装置１３０ｂが結像レンズ１０を光軸方向に所定量だけ前後移動させる機能を有すことが特徴である。
【０１４９】
次に透過原稿の読取動作を説明する。
【０１５０】
透過原稿読取モードにおいては、先ず図２２の反射原稿照明用ランプ４及びゴミキズ検知用ランプ６を消灯し、透過原稿照明用ランプ５を点灯させ、更にピント補正手段駆動装置１３０ｂが結像レンズ１０を可視画像の良好なコントラスト（ピント）が得られる位置に移動させる。このとき透過原稿照明用ランプ５の照明光束は拡散板３によって斑なく拡散され、その拡散光束が透過原稿１を透過する。この透過光束がミラー８、ハノ字ミラー９、結像レンズ１０を通過しＣＣＤ１１に投影される。
【０１５１】
透過原稿照明用ランプ５の赤外成分は、ＣＣＤ１１に付加された赤外カット手段によって除去され、ＣＣＤ１１から出力される画像信号は可視波長帯の成分のみになる。この結果、光源が赤外域と可視域とを含むことに起因する色収差によるコントラストの低下が無く、前記実施例１と同様に、色再現性が良好な画像読取を実現できる。
【０１５２】
次にゴミキズ検知モードについて説明する。
【０１５３】
先ず図２２の反射原稿照明用ランプ４と透過原稿照明用ランプ５とを消灯し、ゴミキズ検知用ランプ６を点灯させ、更にピント補正手段駆動装置１３ｂが結像レンズ１０を赤外画像の良好なコントラスト（ピント）が得られる位置に移動させる。このときゴミキズ検知用ランプ６の照明光束は拡散板３によって斑なく拡散され、その拡散光束が透過原稿１を透過する。この透過光束がミラー８、ハノ字ミラー９、結像レンズ１０を通過し、ＣＣＤ１１に投影される。
【０１５４】
以上説明した第４〜１１の実施形態に示した赤外カット手段は第２の光源の発光波長を透過するので、光路上に前記赤外カット手段が存在した状態で、第２の光源による欠陥情報の読み取りを行うことができる。また、高価で表面精度を高く維持するのが難しい赤外カットフィルタを使わずに装置の低コスト化が実現できる。また、赤外カット手段をミラー、結像レンズ、或いはＣＣＤ上に一体化して構成することにより、新たにフィルタ部材を追加設置することは必要なく、低コストで読取画像の劣化を小さくすることができる。
【０１５５】
【発明の効果】
以上説明したように本発明によれば、透過性原稿記録媒体に記録された画像情報を良好に読み取ることができる。
【図面の簡単な説明】
【図１】本発明の第１の実施形態に係る画像読取装置の構成を示す図である。
【図２】第１の実施形態における反射原稿照明用ランプ、透過原稿照明用ランプ及びゴミキズ検知用ランプの分光強度分布を示す図である。
【図３】第１の実施形態における赤外カットフィルタの分光透過率を示す図である。
【図４】本発明の第２の実施形態に係る画像読取装置の構成を示す図である。
【図５】第２の実施形態における反射原稿照明用ランプ、透過原稿照明用ランプ及びゴミキズ検知用ランプの分光強度分布を示す図である。
【図６】本発明の第３の実施形態に係る画像読取装置の構成を示す図である。
【図７】第３の実施形態における透過原稿照明用ランプ及びゴミキズ検知用ランプの分光強度分布を示す図である。
【図８】本発明の第４の実施形態に係る画像読取装置の構成を示す図である。
【図９】第４の実施形態における反射原稿照明用ランプ、透過原稿照明用ランプ及びゴミキズ検知用ランプの分光強度分布を示す図である。
【図１０】第４の実施形態における赤外カットフィルタの分光透過率を示す図である。
【図１１】本発明の第５の実施形態に係る画像読取装置の構成を示す図である。
【図１２】第５の実施形態における反射原稿照明用ランプ、透過原稿照明用ランプ及びゴミキズ検知用ランプの分光強度分布を示す図である。
【図１３】第５の実施形態における赤外カットフィルタの分光透過率を示す図である。
【図１４】本発明の第６の実施形態に係る画像読取装置の構成を示す図である。
【図１５】第６の実施形態における透過原稿照明用ランプ及びゴミキズ検知用ランプの分光強度分布を示す図である。
【図１６】本発明の第７の実施形態に係る画像読取装置の構成を示す図である。
【図１７】第７の実施形態における反射原稿照明用ランプ、透過原稿照明用ランプ及びゴミキズ検知用ランプの分光強度分布を示す図である。
【図１８】第７の実施形態における赤外カットフィルタの分光透過率を示す図である。
【図１９】本発明の第８の実施形態に係る画像読取装置の構成を示す図である。
【図２０】本発明の第９の実施形態に係る画像読取装置の構成を示す図である。
【図２１】本発明の第１０の実施形態に係る画像読取装置の構成を示す図である。
【図２２】本発明の第１１の実施形態に係る画像読取装置の構成を示す図である。
【図２３】従来の画像読取装置の概略構成を示す図である。
【図２４】透過原稿を読み取る従来の画像読取装置における概略構成を示す図である。
【図２５】反射原稿を読み取る従来の一体光学系の画像読取装置における概略構成を示す図である。
【図２６】透過原稿を読み取る従来の一体光学系の画像読取装置における概略構成を示す図である。
【図２７】従来の第１のゴミキズ検知装置を示す図である。
【図２８】第１のゴミキズ検知装置における透過原稿照明用ランプの分光強度分布特性を示す図である。
【図２９】第１のゴミキズ検知装置における赤外カットフィルタ及び可視カットフィルタの分光透過率を示すとともに、透過原稿照明用ランプの相対発光強度を示す図である。
【図３０】従来の第２のゴミキズ検知装置を示す図である。
【図３１】第２のゴミキズ検知装置におけるＬＥＤ及びゴミキズ検知用光源の各発光強度特性を示す図である。
【符号の説明】
１  透過原稿
２  原稿台ガラス
３  拡散板
４  反射原稿照明用ランプ
４ａ  反射原稿照明用ランプ
５  透過原稿照明用ランプ（第１の光源）
５ａ  透過原稿照明用ランプ（第１の光源）
５ｂ  透過原稿照明用ランプ（第１の光源）
６  ゴミキズ検出用ランプ（第２の光源）
６ａ  ゴミキズ検出用ランプ（第２の光源）
７  反射笠
８  ミラー
８ａ  ミラー（赤外カット手段付加）
９  ハノ字ミラー
１０  結像レンズ
１０ａ  結像レンズ（赤外カット手段付加）
１１  ＣＣＤ
１１ａ  ＣＣＤ
１２  赤外カットフィルタ
１２ａ  赤外カットフィルタ
１２ｂ  赤外カットフィルタ
１２ｃ  赤外カットフィルタ
１３  赤外カットフィルタ駆動装置
１２０  ピント補正手段（平行平板ガラス）
１３０  ピント補正手段駆動装置（平行平板ガラス抜差し）
１３０ａ  ピント補正手段駆動装置（ＣＣＤ移動）
１３０ｂ  ピント補正手段駆動装置（結像レンズ移動）
【図１】
0004497671.tif 000002
【図２】
0004497671.tif 000003
【図３】
0004497671.tif 000004
【図４】
0004497671.tif 000005
【図５】
0004497671.tif 000006
【図６】
0004497671.tif 000007
【図７】
0004497671.tif 000008
【図８】
0004497671.tif 000009
【図９】
0004497671.tif 000010
【図１０】
0004497671.tif 000011
【図１１】
0004497671.tif 000012
【図１２】
0004497671.tif 000013
【図１３】
0004497671.tif 000014
【図１４】
0004497671.tif 000015
【図１５】
0004497671.tif 000016
【図１６】
0004497671.tif 000017
【図１７】
0004497671.tif 000018
【図１８】
0004497671.tif 000019
【図１９】
0004497671.tif 000020
【図２０】
0004497671.tif 000021
【図２１】
0004497671.tif 000022
【図２２】
0004497671.tif 000023
【図２３】
0004497671.tif 000024
【図２４】
0004497671.tif 000025
【図２５】
0004497671.tif 000026
【図２６】
0004497671.tif 000027
【図２７】
0004497671.tif 000028
【図２８】
0004497671.tif 000029
【図２９】
0004497671.tif 000030
【図３０】
0004497671.tif 000031
【図３１】
0004497671.tif 000032